(57)【要約】【課題】  簡単な構造で、且つエレベータ昇降路のピット深さを浅くすることができるエレベータの転落防止用エプロンを得る。【解決手段】  エレベータのかご戸の下方に設けられた敷居部と、この敷居部乗場側に設けられ、掛止手段を有するエプロン取付金具と、このエプロン取付金具の乗場側に掛止手段によって掛止され、エプロン取付金具に対して上下方向に摺動可能なエプロンとを備え、エプロンは、エプロン取付金具に対して上方向に摺動した際、上端部が敷居部の上面より上方に突出可能とする。【選択図】      図４
2005187104.tif 000002
【特許請求の範囲】
【請求項１】
エレベータのかご戸の下方に設けられた敷居部と、この敷居部乗場側に設けられ、掛止手段を有するエプロン取付金具と、このエプロン取付金具の乗場側に前記掛止手段によって掛止され、前記エプロン取付金具に対して上下方向に摺動可能なエプロンとを備え、前記エプロンは、エプロン取付金具に対して上方向に摺動した際、上端部が前記敷居部の上面より上方に突出可能なことを特徴とするエレベータの転落防止装置。
【請求項２】
エプロンは、乗場側が一部材で構成されたことを特徴とする請求項１に記載のエレベータの転落防止装置。
【請求項３】
エプロンは、エプロン取付金具に対して上方向に摺動した後、エレベータのかごを上方に移動させることによって自重によりエプロン取付金具に対して下方向に摺動することを特徴とする請求項１又は請求項２に記載のエレベータの転落防止装置。
【請求項４】
エプロンは、上下方向が長手方向となる長穴を有し、この長穴の上端部が掛止手段によって掛止されることを特徴とする請求項１から請求項３の何れかに記載のエレベータの転落防止装置。
【発明の詳細な説明】
【技術分野】
【０００１】
この発明は、乗客がエレベータの昇降路内ヘ転落することを防止するエレベータの転落防止用エプロンに関するものである。
【背景技術】
【０００２】
従来のエレベータの転落防止装置には、かごの敷居部の前端に板状の転落防止用エプロンが垂設され、かごのかご床と転落防止用エプロンとを連結したエプロン補強部材を設けたエレベータの転落防止用エプロンにおいて、転落防止用エプロンは、固定部材と、固定部材上を摺動する摺動部材とにより構成したものがある（例えば、特許文献１参照）。
【０００３】
【特許文献１】特開２００３−１１８９６０号公報
【発明の開示】
【発明が解決しようとする課題】
【０００４】
特許文献１記載のエレベータの転落防止装置では、かごの敷居部の前端に垂設された転落防止用エプロンが、上部に設けられた固定部材と、固定部材上を摺動する下部に設けられた摺動部材とにより構成されているため、かごが何らかの原因によって最下階を行き過ぎ、転落防止用エプロンの最下端がピットの底面に接触した場合でも、摺動部材が固定部材上を摺動して移動することができるため、かごに損傷を与えることがない。したがって、摺動部材の移動長の分だけピット深さを浅くすることが可能であるが、摺動部材の水平方向両端部に設けられたコ字状の部分と、固定部材の水平方向両端部とが係合して摺動するため、構造が複雑になり製作に時間とコストが掛かるという問題があった。また、エレベータの転落防止装置の乗場側となるエプロンが、固定部材及び摺動部材とから構成されているため、この固定部材と摺動部材との連結部に十分な強度を持たせる必要性も生じていた。
【０００５】
この発明は、上述のような課題を解決するためになされたもので、その目的は、簡単な構造で、且つエレベータ昇降路のピット深さを浅くすることができるエレベータの転落防止用エプロンを提供することである。
【課題を解決するための手段】
【０００６】
この発明に係るエレベータの転落防止装置は、エレベータのかご戸の下方に設けられた敷居部と、この敷居部乗場側に設けられ、掛止手段を有するエプロン取付金具と、このエプロン取付金具の乗場側に掛止手段によって掛止され、エプロン取付金具に対して上下方向に摺動可能なエプロンとを備え、エプロンは、エプロン取付金具に対して上方向に摺動した際、上端部が敷居部の上面より上方に突出可能なものである。
【発明の効果】
【０００７】
この発明は、エレベータのかご戸の下方に設けられた敷居部と、この敷居部乗場側に設けられ、掛止手段を有するエプロン取付金具と、このエプロン取付金具の乗場側に掛止手段によって掛止され、エプロン取付金具に対して上下方向に摺動可能なエプロンとを備え、エプロンは、エプロン取付金具に対して上方向に摺動した際、上端部が敷居部の上面より上方に突出可能な構成としたことで、転落防止装置の構造を簡単にし、且つエレベータ昇降路のピット深さを浅くすることができる。
【発明を実施するための最良の形態】
【０００８】
実施の形態１．
図１は本発明の実施の形態１におけるエレベータの転落防止装置の正面図、図２は図１の側面図、図３はかごが最下部に位置する場合の本発明の実施の形態１におけるエレベータの転落防止装置の正面図、図４は図３の側面図である。
【０００９】
図１及び図２において、上面がかご室床面となるかご床板１０は、防振材１１を介してエレベータのかご枠（図示せず）に支持されており、その下面には、断面が略ひの字状を呈するかご床板補強部材１２が、そのひの字状の開放部が上方を向くように左右に渡って溶接固定されている。このかご床板１０の乗場側端部は、下方に向かってコ字状に形成され、上面と垂直なかご床板前側面１０ａには、断面がコ字状を呈する支持板１３の一側面がそのコ字状の開放部が下方を向くようにしてボルト及びナットによって締結固定されている。この支持板１３の上面には、かご戸（図示せず）の下端を案内する溝１４ａが設けられた敷居１４が、ボルト及びナットによって固定されている。そして、この敷居１４は、かご床板１０側の上部でかご床板１０の乗場側の上方角部を、また乗場側の下部で支持板１３の乗場側の角部をそれぞれ覆うように配置されている。なお、エレベータの敷居部は、かご戸の下方に設けられた敷居１４とこの敷居１４を支持する支持板１３とから構成されている。また、エプロン取付金具２１は、かご床板前側面１０ａに対して平行に設けられた板状のエプロン取付部２１ａと、このエプロン取付部２１ａの上部から下部にかけてエプロン取付部２１ａに対して垂直に溶接固定された立上部２１ｂと、エプロン取付部２１ａのかご側の側面上部にその下部が溶接固定され、その上部がエプロン取付部２１ａの上端面から突出する固定部２１ｃとから構成されている。そして、この固定部２１ｃの上部が、締結手段２７によって前述したエレベータの敷居部乗場側となる支持板１３の乗場側他側面に締結固定されている。なお、支持板１３には、所定の間隔を有して２つのエプロン取付金具２１が設けられており、エプロン取付金具２１と支持板１３とを固定する締結手段２７は、締結した状態においてエプロン取付部２１ａの乗場側側面から乗場側に突出しないようなもの（例えば、小ネジ等）が使用されている。また、エプロン取付金具補強部材２２は、中央部が円筒状を呈し、その両端部に板状の取付部２２ａ及び２２ｂが設けられている。そして、この取付部２２ａ及び２２ｂが、エプロン取付金具２１の立上部２１ｂ下部と、前述したかご床板補強部材１２の下面に設けられた支持板２３とに、ボルト２４及び２５によりそれぞれ締結固定されることによって、エプロン取付金具補強部材２２は、取付部２２ａ側を下方にして斜設されている。このように上部及び下部をそれぞれ支持板１３とエプロン取付金具補強部材２２とによって固定されたエプロン取付金具２１には、エプロン取付部２１ａの乗場側側面の上部と下部とに、段付ボルト又は角根ボルト等からなる掛止手段２６がそれぞれ設けられている。一方、エプロン２０には、上下方向が長手方向となる長穴２０ａが設けられ、この長穴２０ａの上端部がエプロン取付金具２１に設けられた掛止手段２６にそれぞれ掛止されることによって、エプロン取付金具２１の乗場側に設けられている。なお、この掛止手段２６は、長穴２０ａを介してエプロン２０を掛止するとともに、エプロン２０の乗場側側面に接触している。このエプロン２０は、中央部から下部にかけて両端部がかご側に曲成されることによって断面がコ字状を呈しており、最下部には、かご側に傾斜する傾斜部２０ｂが設けられている。そして、エプロン２０と、エレベータの乗場に設けられた昇降路突出部３０（例えば、乗場側の敷居受け梁）との間には、所定の間隙が設けられている。なお、このエプロン２０は、かごが通常の停止位置より上方にずれて停止した場合に、乗場にいる乗客が昇降路内に転落したり、足等を昇降路内に出したりすることを防止するために設置されている。
【００１０】
次に、エレベータのかごが何らかの原因により最下階を行き過ぎて、緩衝器（図示せず）が作動し、エプロン２０の最下端がエレベータのピット３１底面に接触する場合について説明する。エプロン２０の最下端である傾斜部２０ｂの下端がピット３１の底面に接触すると、エプロン２０の下方への移動は停止する。しかし、かごはさらに下方へ移動するため、エプロン取付金具２１に設けられた掛止手段２６は、エプロン２０の長穴２０ａに沿って下方に摺動する。図３及び図４は、エプロン２０の傾斜部２０ｂがピット３１の底面に接触した後、かごがピット３１に設けられた緩衝器によって制動されて最下端に達した場合を示したものである。図において、かご全体が下方に移動したことにより、エプロン２０の上端部は敷居１４の上方に位置し、掛止手段２６は、エプロン２０に設けられた長穴２０ａの下部にまで移動している。なお、この状態からかごが上方に移動すると、エプロン２０は自重によりその下端をピット３１底面に接触させた状態を保つが、掛止手段２６は長穴２０ａに沿ってその上端部にまで摺動する。そして、かごがさらに上方に移動することによって、エプロン２０は掛止手段２６に掛止されて持ち上げられ、図１及び図２の状態に戻る。
【００１１】
この発明の実施の形態１によれば、エレベータのかごの転落防止装置の乗場側は、エプロン２０のみから構成され、このエプロン２０のかご側にエプロン取付金具２１が固定されている。したがって、転落防止装置の乗場側が一体的に構成されているため、簡単な構造で、且つ強度的に問題のない転落防止装置を提供することができる。また、エプロン２０は、長穴２０ａを介してエプロン取付金具２１に掛止されているため、転落防止装置の乗場側を固定部材及び摺動部材等に分割することなく、エプロン取付金具２１に対してエプロン２０全体を上下方向に摺動させることができる。さらに、このエプロン２０の最下端がエレベータのピット３１底面に衝突した際には、エプロン２０がエプロン取付金具２１上を摺動して上方に移動し、エプロン２０の上部が敷居１４の上面より上方に突出することができる構成としたことで、エプロン２０の移動長の分だけ、ピット深さを浅くすることが可能となる。この場合、エプロン取付金具２１の長さを変えることによってエプロン２０の移動距離を変更することができるため、ピット３１の深さに合わせてエプロン２０の可動量を調節することが可能である。特に、エプロン取付金具２１を短くすることでエプロン２０の可動量を大きくすることが可能となるので、ピット３１の深さが浅い場合等には有効となる。なお、かごが緩衝器に衝突してエプロン２０の上部が敷居１４の上方に位置する場合でも、再びかごを上昇させることでエプロン２０をその自重により元の位置に戻すことが可能であるので、エプロン２０の復旧に際し作業員がエレベータ昇降路内に入って作業する必要もなく作業性が良い。
【図面の簡単な説明】
【００１２】
【図１】本発明の実施の形態１におけるエレベータの転落防止装置の正面図である。
【図２】本発明の実施の形態１におけるエレベータの転落防止装置の側面図である。
【図３】かごが最下部に位置する場合の本発明の実施の形態１におけるエレベータの転落防止装置の正面図である。
【図４】かごが最下部に位置する場合の本発明の実施の形態１におけるエレベータの転落防止装置の側面図である。
【符号の説明】
【００１３】
１０  かご床板
１０ａ  かご床板前側面
１１  防振材
１２  かご床板補強部材
１３  支持板
１４  敷居
１４ａ  溝
２０  エプロン
２０ａ  長穴
２０ｂ  傾斜部
２１  エプロン取付金具
２１ａ  エプロン取付部
２１ｂ  立上部
２１ｃ  固定部
２２  エプロン取付金具補強部材
２２ａ、２２ｂ  取付部
２３  支持板
２４、２５  ボルト
２６  掛止手段
２７  締結手段
３０  昇降路突出部
３１  ピット
【図１】
2005187104.tif 000003
【図２】
2005187104.tif 000004
【図３】
2005187104.tif 000005
【図４】
2005187104.tif 000006